(57)【要約】【課題】発光素子駆動回路において、フィードバックループ経路に異常があった場合にもより好適に昇圧回路を動作させることである。【解決手段】発光素子駆動回路は、発光素子に昇圧電圧を供給する昇圧回路部と、発光素子を電流で駆動する電流回路部と、発光素子の電圧を昇圧回路部にフィードバック電圧として入力する通常フィードバックループ経路と、発光素子の電圧を昇圧回路部にフィードバック電圧として入力するための予備フィードバックループ経路と、通常フィードバックループ経路によって昇圧回路部に入力されるフィードバック電圧と、予め定められた判定電圧とを比較して異常を検出する異常検出回路部と、異常検出回路部が異常を検出したときに通常フィードバックループ経路から予備フィードバックループ経路に切り替える切替回路を備える。【選択図】図１
2011035134.tif 000002
【特許請求の範囲】
【請求項１】
発光素子を駆動する発光素子駆動回路であって、
フィードバック電圧に基づいて昇圧し、発光素子の一方側端子に昇圧電圧を供給する昇圧回路部と、
発光素子を予め定められた駆動電流で駆動する電流回路部と、
発光素子の他方側端子の電圧を昇圧回路部にフィードバック電圧として入力する第１フィードバックループ経路と、
発光素子の一方側端子の電圧を昇圧回路部にフィードバック電圧として入力するために予備として設けられた第２フィードバックループ経路と、
第１フィードバックループ経路によって昇圧回路部に入力されるフィードバック電圧と、予め定められた判定電圧とを比較して第１フィードバックループ経路における異常を検出する異常検出回路部と、
異常検出回路部が異常を検出したときに、第１フィードバックループ経路から第２フィードバックループ経路に切り替える切替回路部と、
を備えることを特徴とする発光素子駆動回路。
【請求項２】
請求項１に記載の発光素子駆動回路において、
第１フィードバックループ経路から第２フィードバックループ経路に切り替えられてから所定の時間を経過させた後に、昇圧回路部が任意の昇圧電圧を出力する場合には第１フィードバックループ経路の異常を経路のオープンと判断し、昇圧回路部が任意の昇圧電圧を出力しない場合には第１フィードバックループ経路の異常を経路のショートと判断する判断手段を備えることを特徴とする発光素子駆動回路。
【請求項３】
請求項１または請求項２に記載の発光素子駆動回路において、
異常検出回路部は、
第１フィードバックループ経路によって昇圧回路部に入力されるフィードバック電圧と、予め定められた判定電圧との比較結果をフィルタするフィルタ回路を有することを特徴とする発光素子駆動回路。
【請求項４】
請求項１から請求項３のいずれか１に記載の発光素子駆動回路において、
切替回路部は、
異常検出回路部が異常を検出したときに、第１フィードバックループ経路から第２フィードバックループ経路に切り替えた状態を保持する保持手段を含むことを特徴とする発光素子駆動回路。
【発明の詳細な説明】
【技術分野】
【０００１】
本発明は、発光素子駆動回路に係り、特に、昇圧回路部を備える発光素子駆動回路に関する。
【背景技術】
【０００２】
近年、携帯電話等の種々の電気機器に発光素子駆動回路が搭載されている。発光素子駆動回路において昇圧回路部を有する場合には、昇圧回路部によって発光素子の端子電圧が所定の電圧になるように昇圧が行われる。これにより、発光素子が所望の輝度等で発光される。
【０００３】
本発明に関連する技術として、例えば、特許文献１には、発光素子駆動回路として、電池によってＬＥＤを駆動するＬＥＤ駆動回路であって、ＬＥＤのアノード側またはカソード側に挿入され、ＬＥＤを流れる電流が所定の目標値となるように制御する定電流回路と、ＬＥＤのカソード側かつ定電流回路の下流に接続される抵抗とを有する構成が開示されている。そして、ＬＥＤの順方向電圧降下と、所定の目標値となる場合における定電流回路の駆動電圧と、所定の目標値となる場合における抵抗の両端の電圧との和を所定電圧とした場合、所定電圧の値を含む範囲で電圧が残容量に応じて変動する電池と、電池とＬＥＤとの間に接続され、内部に有するスイッチがオンとなった場合、電池電圧を所定電圧以上の大きさに昇圧して出力し、当該スイッチがオフの場合、当該電池電圧をそのまま出力する昇圧回路を備える構成が開示されている。さらに、定電流回路に接続され、電池電圧と所定電圧との大小関係を検知して、電池電圧が所定電圧よりも小さくなった場合のみ、昇圧回路のスイッチをオンにする制御回路を備える構成が開示されている。
【先行技術文献】
【特許文献】
【０００４】
【特許文献１】特開２００５−１１８９５号公報
【発明の概要】
【発明が解決しようとする課題】
【０００５】
ところで、発光素子駆動回路において、発光素子の一方の端子の電圧をフィードバック電圧として昇圧回路部に入力し、昇圧回路部によって必要な昇圧を行うことがある。しかし、発光素子の一方の端子の電圧をフィードバック電圧として昇圧回路部に入力するためのフィードバックループ経路において、経路のオープン故障等の異常があった場合には、適切なフィードバック電圧を入力することができないため、昇圧回路部の保護機能が作動して昇圧動作を停止してしまうことがある。このため、昇圧回路部によって昇圧される発光素子が複数存在する場合には、フィードバックループ経路中に設けられた発光素子以外の発光素子についても発光しなくなるという問題がある。
【０００６】
本発明の目的は、フィードバックループ経路に異常があった場合にもより好適に昇圧回路を動作させる発光素子駆動回路を提供することである。
【課題を解決するための手段】
【０００７】
本発明に係る発光素子駆動回路は、発光素子を駆動する発光素子駆動回路であって、フィードバック電圧に基づいて昇圧し、発光素子の一方側端子に昇圧電圧を供給する昇圧回路部と、発光素子を予め定められた駆動電流で駆動する電流回路部と、発光素子の他方側端子の電圧を昇圧回路部にフィードバック電圧として入力する第１フィードバックループ経路と、発光素子の一方側端子の電圧を昇圧回路部にフィードバック電圧として入力するために予備として設けられた第２フィードバックループ経路と、第１フィードバックループ経路によって昇圧回路部に入力されるフィードバック電圧と、予め定められた判定電圧とを比較して第１フィードバックループ経路における異常を検出する異常検出回路部と、異常検出回路部が異常を検出したときに、第１フィードバックループ経路から第２フィードバックループ経路に切り替える切替回路部と、を備えることを特徴とする。
【発明の効果】
【０００８】
上記構成の発光素子駆動回路によれば、第１フィードバックループ経路における異常を検出した場合には、第１フィードバックループ経路から第２フィードバックループ経路に切り替えられる。これにより、第１フィードバックループ経路において異常があった場合にも、第２フィードバックループ経路からのフィードバック電圧に基づいて昇圧を行うことができる。したがって、より好適に昇圧回路を動作させることができる。
【図面の簡単な説明】
【０００９】
【図１】本発明に係る実施の形態において、発光素子駆動回路を示す図である。
【図２】本発明に係る実施の形態において、発行素子駆動回路の変形例を示す図である。
【図３（ａ）】本発明に係る実施の形態において、通常フィードバックループ経路にオープン故障があった場合の電圧特性を示す図である。
【図３（ｂ）】本発明に係る実施の形態において、通常フィードバックループ経路にショート故障があった場合の電圧特性を示す図である。
【発明を実施するための形態】
【００１０】
以下に、本発明に係る実施の形態について添付図面を参照しながら詳細に説明する。なお、以下ではＬＰＦ（ローパスフィルタ）は、アナログフィルタを用いて構成されるものとして説明するが、デジタルフィルタで構成されてもよい。
【００１１】
以下では、全ての図面において同様の要素には同一の符号を付し、重複する説明を省略する。また、本文中の説明においては、必要に応じそれ以前に述べた符号を用いるものとする。
【００１２】
図１は、発光素子駆動回路１０を示す図である。発光素子駆動回路１０は、昇圧回路部２０と、電流回路部３０と、電圧判定回路６０と、ＬＰＦ９０と、マイナス側切替回路４０と、プラス側切替回路５０と、通常フィードバックループ経路７０と、予備フィードバックループ経路８０とを含んで構成される。発光素子駆動回路１０は、発光素子１０３，１０４を駆動する回路である。まず、発光素子１０３，１０４について説明し、その後に発光素子駆動回路１０の各構成について具体的に説明する。
【００１３】
発光素子１０３，１０４は、カソード端子（陰極）に対し、アノード端子（陽極）に順方向に電圧を加えた際に発光する回路素子である。発光素子１０３は、アノード端子が第１端子３と接続され、カソード端子が第２端子５と接続されている。発光素子１０４は、アノード端子が第３端子４と接続され、カソード端子が第４端子６と接続される。また、発光素子１０３，１０４に流れる電流値を変更することで輝度を変化させることができる。
【００１４】
昇圧回路部２０は、昇圧用エラーアンプ２０２と、昇圧用ＰＷＭ回路２０３と、昇圧用トランジスタ２０５と、昇圧用コイル２０４と、昇圧用ダイオード２０６と、昇圧用コンデンサ２０７とを含んで構成される。昇圧回路部２０は、発光素子１０３のカソード端子、あるいは、アノード端子の電圧をフィードバック電圧として受け取って、必要な昇圧を行い、発光素子１０３，１０４のアノード端子に昇圧電圧を供給する機能を有する。昇圧回路部２０は、マイナス側切替回路４０と、プラス側切替回路５０と、発光素子１０３，１０４のアノード端子と電気的に接続されている。
【００１５】
昇圧用エラーアンプ２０２は、二つの入力電圧の大きさを比較し、その入力電圧の差を増幅して出力する回路である。昇圧用エラーアンプ２０２のプラス側入力端子に入力される基準電圧は、プラス側切替回路５０に接続されている。昇圧用エラーアンプ２０２のマイナス側入力端子は、発光素子１０３からのフィードバック電圧を受け取るためにマイナス側切替回路４０に接続されている。また、昇圧用エラーアンプ２０２の出力は昇圧用ＰＷＭ回路２０３に入力される。そして、昇圧用エラーアンプ２０２は、発光素子１０３からのフィードバック電圧と基準電圧との比較を行い、その電圧の差を増幅した電圧偏差が昇圧用ＰＷＭ回路２０３に出力される。
【００１６】
昇圧用ＰＷＭ回路２０３は、変調方法の一つであり、パルス波のデューティ比を変化させて変調する回路である。具体的には、昇圧用エラーアンプ２０２による比較結果である電圧偏差を入力として受け、その電圧偏差に基づいてパルス波のデューティ比を変更する。そして、電圧偏差に基づいたパルス波によって、昇圧用トランジスタ２０５のスイッチング制御を行う機能を有する。
【００１７】
昇圧用トランジスタ２０５は、ゲート端子に電圧をかけ、チャネルの電界により電子または正孔の流れに関門（ゲート）を設ける原理で、ソース・ドレイン端子間の電流を制御するｎチャネルＭＯＳトランジスタである。昇圧用トランジスタ２０５は、昇圧用ＰＷＭ回路２０３から出されるパルス波がゲート端子に印加されてスイッチング制御がなされる。昇圧用トランジスタ２０５は、ゲート端子が昇圧用ＰＷＭ回路２０３の出力と電気的に接続され、ドレイン端子が昇圧用コイル２０４の他方端および昇圧用ダイオード２０６のアノード端子と電気的に接続され、ソース端子がグランド２に接続されて接地されている。
【００１８】
昇圧用コイル２０４は、一方端が入力電源電圧１に接続され、他方端が昇圧用トランジスタ２０５のソース端子と、昇圧用ダイオード２０６のアノード端子に接続されている。昇圧用コイル２０４は、昇圧用トランジスタ２０５がオン状態となったときに入力電源電圧１が印加される状態となり電磁エネルギが蓄積される。
【００１９】
昇圧用ダイオード２０６は、整流作用（電流を一定方向にしか流さない作用）を持つ回路素子である。昇圧用ダイオード２０６は、昇圧用トランジスタ２０５がオフ状態となったときに電磁エネルギが蓄積された昇圧用コイル２０４が電圧源のように機能して、昇圧用ダイオード２０６を経由して負荷に電流が流される。昇圧用ダイオード２０６は、アノード端子が昇圧用コイル２０４の他方端と昇圧用トランジスタ２０５のソース端子と電気的に接続され、カソード端子が昇圧用コンデンサの正極側端子と接続されている。
【００２０】
昇圧用コンデンサ２０７は、静電容量により電荷（電気エネルギ）を蓄えたり、放出したりする回路素子である。昇圧用コンデンサ２０７は、昇圧用トランジスタ２０５がオフ状態となったときに、昇圧用コイル２０４から流れてくる電荷を蓄積する機能を有する。昇圧用コンデンサ２０７は、正極側端子が昇圧用ダイオード２０６のカソード端子および発光素子１０３，１０４のアノード端子と電気的に接続され、負極側端子がグランド２に接続されて接地される。
【００２１】
電流回路部３０は、発光素子１０３，１０４を予め定められた駆動電流で駆動する回路である。電流回路部３０は、定電流源部３０２と定電流源部３０４とを含んで構成される。定電流源部３０２は、一方端が発光素子１０３のカソード端子とマイナス側切替回路４０の第１切替端子４２と電圧判定回路６０のプラス側入力端子と接続され、他方端がグランド２に接続されて接地される。定電流源部３０４は、一方端が発光素子１０４のカソード端子と接続され、他方端がグランド２に接続されて接地される。
【００２２】
電圧判定回路６０は、プラス側入力端子の電圧がマイナス側入力端子の電圧よりも高ければＨｉｇｈ電圧を出力し、プラス側入力端子の電圧がマイナス側入力端子の電圧よりも低ければＬｏｗ電圧を出力する。電圧判定回路６０は、プラス側入力端子がマイナス側切替回路４０の第１切替端子４２と発光素子１０３のカソード端子と定電流源部３０２の一方端と接続され、マイナス側入力端子が所定の判定電圧を出力する判定用基準電圧部６２と接続される。電圧判定回路６０の出力端子は、ＬＰＦ９０を介してマイナス側切替回路４０とプラス側切替回路５０に接続される。
【００２３】
ＬＰＦ９０は、例えば、コンデンサと抵抗器といった回路素子を用いて構成されるアナログローパスフィルタである。ＬＰＦ９０は、電圧判定回路６０とマイナス側切替回路４０とプラス側切替回路５０に電気的に接続される。ＬＰＦ９０は、電圧判定回路６０の出力にノイズが乗ってマイナス側切替回路４０とプラス側切替回路５０とが誤動作をしないようにするために、高周波のノイズを除去する機能を有する。ここで、電圧判定回路６０とＬＰＦ９０とをあわせて異常検出回路と呼ぶ。
【００２４】
通常フィードバックループ経路７０は、電圧判定回路６０のプラス側入力端子と、発光素子１０３のカソード端子と、定電流源部３０２の一方端と、マイナス側切替回路４０の第１切替端子４２を接続する経路である。通常フィードバックループ経路７０は、発光素子１０３のカソード端子の電圧を昇圧回路部２０にフィードバックするための経路である。なお、通常フィードバックループ経路７０のうち、発光素子１０３のカソード端子と第２端子５とを接続する経路を通常フィードバックループ経路７０ａと呼ぶ。また、通常フィードバック経路７０ａは、発光素子駆動回路１０の外部で配線される。
【００２５】
予備フィードバックループ経路８０は、発光素子１０３，１０４のアノード端子と、昇圧用ダイオード２０６のカソード端子と、昇圧用コンデンサ２０７の正極側端子と、マイナス側切替回路４０の第２切替端子４３とを接続する経路である。予備フィードバックループ経路８０は、発光素子１０３のアノード端子の電圧を昇圧回路部２０にフィードバックするために予備として設けられた経路である。
【００２６】
マイナス側切替回路４０は、昇圧用エラーアンプ２０２のマイナス側入力端子に接続されるスイッチ本体部４１と、通常フィードバックループ経路７０と接続される第１切替端子４２と、予備フィードバックループ経路８０と接続される第２切替端子４３とを含んで構成される。
【００２７】
マイナス側切替回路４０は、電圧判定回路６０の出力によって制御される。具体的には、電圧判定回路６０の出力がＨｉｇｈのときはスイッチ本体部４１が第１切替端子４２と接続され、昇圧用エラーアンプ２０２のマイナス側入力端子の接続先は、通常フィードバックループ経路７０となる。また、電圧判定回路６０の出力がＬｏｗのときはスイッチ本体部４１が第２切替端子４３と接続され、昇圧用エラーアンプ２０２のマイナス側入力端子の接続先は、予備フィードバックループ経路８０となる。また、マイナス側切替回路４０は、電圧判定回路６０の出力がＨｉｇｈからＬｏｗとなり、スイッチ本体部４１が第１切替端子４２から第２切替端子４３へと切り替えられた後は、第２切替端子４３へと切り替えられた状態のままを保持するラッチ機構が設けられている。
【００２８】
プラス側切替回路５０は、昇圧用エラーアンプ２０２のプラス側入力端子に接続されるスイッチ本体部５１と、基準電源２０１ａに接続される第１切替端子５２と、基準電源２０１ｂに接続される第２切替端子５３とを含んで構成される。基準電源２０１ａは、発光素子１０３のカソード端子の電圧を所定の電圧に保持するためのカソード端子用基準電圧（例えば０．５ｖ）を出力する電源である。基準電源２０１ｂは、発光素子１０３のアノード端子の電圧を所定の電圧に保持するためのアノード端子用基準電圧（例えば４ｖ）を出力する電源である。
【００２９】
プラス側切替回路５０は、電圧判定回路６０の出力によって制御される。具体的には、電圧判定回路６０の出力がＨｉｇｈのときはスイッチ本体部５１が第１切替端子５２と接続され、昇圧用エラーアンプ２０２のプラス側入力端子の接続先は、基準電源２０１ａとなる。また、電圧判定回路６０の出力がＬｏｗのときはスイッチ本体部５１が第２切替端子５３と接続され、昇圧用エラーアンプ２０２のプラス側入力端子の接続先は、基準電源２０１ｂとなる。また、プラス側切替回路５０は、電圧判定回路６０の出力がＨｉｇｈからＬｏｗとなり、スイッチ本体部５１が第１切替端子５２から第２切替端子５３へと切り替えられた後は、第２切替端子５３へと切り替えられた状態のままを保持するラッチ機構が設けられている。
【００３０】
続いて、上記構成の発光素子駆動回路１０の動作について、図１を参照して説明する。発光素子駆動回路１０において、通常フィードバックループ経路７０ａに異常がない場合は、電圧判定回路６０のプラス側入力端子に入力される電圧が、電圧判定回路６０のマイナス側入力端子に入力される所定の判定電圧を超える値となっているため、電圧判定回路６０の出力がＨｉｇｈとなっている。このため、マイナス側切替回路４０のスイッチ本体部４１が第１切替端子４２に接続されるとともに、プラス側切替回路５０のスイッチ本体部５１が第１切替端子５２に接続される。そして、昇圧用エラーアンプ２０２のマイナス側入力端子には、発光素子１０３のカソード端子の端子電圧がフィードバック電圧として入力され、昇圧用エラーアンプ２０２のプラス側入力端子には、基準電源２０１ａから出力されるカソード端子用基準電圧が入力され、昇圧用エラーアンプ２０２は、これらの２つの入力電圧の差を増幅して出力する。さらに、この出力に基づき昇圧用ＰＷＭ回路２０３が所定のデューティ比を算出し、そのデューティ比で昇圧用トランジスタ２０５がスイッチング制御される。これにより、昇圧回路部２０の出力を必要な電圧まで昇圧して、その昇圧電圧を発光素子１０３のアノード端子に供給することができる。
【００３１】
次に、通常フィードバックループ経路７０ａに異常がある場合、例えば、通常フィードバックループ経路７０ａが第２端子５から外れてしまった場合（換言すれば、オープン故障となる場合）は、定電流源部３０２において流れる電流が無くなるため、電圧判定回路６０のプラス側入力端子に入力される電圧はほぼ０となる。したがって、電圧判定回路６０のプラス側入力端子に入力される電圧が、電圧判定回路６０のマイナス側入力端子に入力される所定の判定電圧を超えない値となるため、電圧判定回路６０の出力がＬｏｗとなっている。したがって、マイナス側切替回路４０のスイッチ本体部４１が第２切替端子４３に切り替わって接続されるとともに、プラス側切替回路５０のスイッチ本体部５１が第２切替端子５３に切り替わって接続される。そして、昇圧用エラーアンプ２０２のマイナス側入力端子には、発光素子１０３のアノード端子の端子電圧がフィードバック電圧として入力され、昇圧用エラーアンプ２０２のプラス側入力端子には、基準電源２０１ｂから出力されるアノード端子用基準電圧が入力され、昇圧用エラーアンプ２０２は、これらの２つの入力電圧の差を増幅して出力する。さらに、この出力に基づき昇圧用ＰＷＭ回路２０が所定のデューティ比を算出し、そのデューティ比で昇圧用トランジスタ２０５がスイッチング制御される。これにより、昇圧回路部２０の出力を必要な電圧まで昇圧して、その昇圧電圧を発光素子１０３のアノード端子に供給することができる。
【００３２】
上記のように、発光素子駆動回路１０によれば、通常時は発光素子１０３のカソード端子の電圧がフィードバック電圧として昇圧回路部２０に入力され、昇圧回路部２０において必要な昇圧を行っている。そして、例えば、発光素子１０３の通常フィードバックループ経路７０ａにオープン故障があった場合であっても、通常フィードバックループ経路７０から予備フィードバックループ経路８０に切替られることで、発光素子１０３のアノード端子の電圧がフィードバック電圧として昇圧回路部２０に入力され、昇圧回路部２０において必要な昇圧が行われる。したがって、通常フィードバックループ経路７０ａにオープン故障が発生し、発光素子１０３が発光しないような故障状態となった場合であっても、昇圧回路部２０の保護機能を差動させず（換言すれば、昇圧動作を停止させず）に、発光素子１０３のアノード端子をフィードバック電圧として昇圧回路部２０に入力し、必要な昇圧を行うことで、他の発光素子である発光素子１０４を正常に発光させることができるという効果がある。なお、発光素子駆動回路１０のマイナス側切替回路４０とプラス側切替回路５０には、それぞれ第２切替端子４３と第２切替端子５３に切り替わったときに保持するラッチ機構を有しているため、通常フィードバックループ経路７０ａが、通常状態とオープン状態とを行き来するような接触状態のときに、順次切り替わってしまうようなことを防止することが出来る。
【００３３】
なお、上記では昇圧回路部２０は、昇圧用エラーアンプ２０２や昇圧用ＰＷＭ回路２０３や昇圧用コイル２０４等を用いた昇圧回路であるとして説明したが、スイッチング素子のオンオフ制御によって、安定した昇圧電圧を出力するスイッチング電源でもよく、また、複数のコンデンサの接続状態を複数のスイッチを用いて切り替えることで昇圧電圧を出力するチャージポンプ回路であってもよい。
【００３４】
次に、発光素子駆動回路１０の変形例である発光素子駆動回路１１について説明する。図２は、発光素子駆動回路１１を示す図である。発光素子駆動回路１１と発光素子駆動回路１０との相違は、異常判断部８８であるため、その点を中心に説明する。
【００３５】
異常判断部８８は、通常フィードバックループ経路７０ａの経路故障がオープン故障（例えば、フィードバックループ経路７０ａが第２端子５から外れた状態）か、ショート故障（例えば、フィードバックループ経路７０ａが接地された状態）であるかを判断する機能を有する。
【００３６】
異常判断部８８は、電圧判定回路６０の出力がＬｏｗの状態となってから、第１の時間（例えば、５ｍｓｅｃ）までの間は、マイナス側切替回路４０とプラス側切替回路５０とに切替をさせずにそのままの接続状態を保持させる。そして、第１の時間が経過したときに、マイナス側切替回路４０とプラス側切替回路５０をそれぞれ第２切替端子４３と第２切替端子５３へと接続を切り替させる。続いて、第２の時間（例えば、１０ｍｓｅｃ）を経過した時に、昇圧回路部２０の出力が所望の昇圧電圧であるときには、オープン故障であると判断し、昇圧回路部２０の出力が発光素子１０３の順方向電圧（Ｖｆ）となったままの状態のときは、ショート故障であると判断する。
【００３７】
続いて、上記構成の発光素子駆動回路１１の動作について、図２，３を参照して説明する。図３（ａ）は、通常フィードバックループ経路７０ａにオープン故障があった場合の電圧特性を示す図である。図３（ｂ）は、通常フィードバックループ経路７０ａにショート故障があった場合の電圧特性を示す図である。発光素子駆動回路１１において、フィードバックループ経路７０ａに故障が発生したときを図３（ａ）（ｂ）において、基準時間である０とする。このとき、昇圧用エラーアンプ２０２のマイナス側入力端子には、ほぼ０の電圧が入力されるから、昇圧回路部２０の出力は、図３（ａ）（ｂ）に示されるように４ｖ付近からＨ付近（上限リミット値）まで上昇する。そして、この状態をしばらく保持したままで第１の時間である５ｍｓｅｃ（５ミリ秒）経過したときに、マイナス側切替回路４０とプラス側切替回路５０をそれぞれ第２切替端子４３と第２切替端子５３へと切り替させる。このように、故障のある通常フィードバックループ経路７０から、故障のない予備フィードバックループ経路８０へ切替られる。
【００３８】
ここで、通常フィードバックループ経路７０ａの故障がオープン故障である場合には、図３（ａ）に示されるように予備フィードバックループ経路８０へ切替られることで、正常な昇圧動作に復帰できるため、第２の時間である１０ｍｓｅｃ（１０ミリ秒）において、昇圧回路部２０の出力が正常な昇圧電圧（発光素子１０４のカソード端子の電圧（０．５ｖ）＋発光素子１０４の順方向電圧Ｖｆ（３．５ｖ）＝４ｖ）となる。
【００３９】
一方、通常フィードバックループ経路７０ａの故障がショート故障である場合には、図３（ｂ）に示されるように予備フィードバックループ経路８０へ切り替えられても、発光素子１０３のカソード端子の電圧が０であるため、第２の時間である１０ｍｓｅｃ（１０ミリ秒）において、昇圧回路部２０の出力が異常な昇圧電圧（発光素子１０３の順方向電圧Ｖｆ（３．５ｖ）＝３．５ｖ）となる。したがって、発光素子駆動回路１１によれば、図３（ａ）（ｂ）に示されるように１０ｍｓｅｃ（１０ミリ秒）で、昇圧回路部２０が正常な昇圧電圧を出力しているか異常な昇圧電圧を出力しているかで、通常フィードバックループ経路７０ａの故障がオープン故障かショート故障であるかを判断することができる。なお、上記の電圧値は単なる例示に過ぎず、その他の電圧値であってもよい。
【００４０】
ここで、通常フィードバックループ経路７０ａの故障がショート故障であると判断したときに、異常判断部８８は、昇圧回路部２０の保護機能として昇圧回路部２０の昇圧動作を停止させる制御を行うものとしてもよい。
【００４１】
また、上記では、ショート故障の検出は通常フィードバックループ経路７０のショート故障が対象であると説明したが、発光素子駆動回路１１におけるその他の経路におけるショート故障を検出するものであってもよい。
【符号の説明】
【００４２】
１  入力電源電圧、２  グランド、３  第１端子、４  第３端子、５  第２端子、６  第４端子、１０，１１  発光素子駆動回路、２０  昇圧回路部、３０  電流回路部、４０  マイナス側切替回路、４１，５１  スイッチ本体部、４２，５２  第１切替端子、４３，５３  第２切替端子、５０  プラス側切替回路、６０  電圧判定回路、６２  判定用基準電圧部、７０，７０ａ  通常フィードバックループ経路、８０  予備フィードバックループ経路、８８  異常判断部、９０  ＬＰＦ、１０３，１０４  発光素子、２０１ａ，２０１ｂ  基準電源、２０２  昇圧用エラーアンプ、２０３  昇圧用ＰＷＭ回路、２０４  昇圧用コイル、２０５  昇圧用トランジスタ、２０６  昇圧用ダイオード、２０７  昇圧用コンデンサ、３０２，３０４  定電流源部。
【図１】
2011035134.tif 000003
【図２】
2011035134.tif 000004
【図３（ａ）】
2011035134.tif 000005
【図３（ｂ）】
2011035134.tif 000006